(57)【特許請求の範囲】
【請求項１】
排水の流入口と流出口を有する排水処理室と、排水中に浸漬される鉄および／またはアルミニウムを含む一対の金属電極と、該金属電極に通電するための電源制御盤と、排水中に空気を供給する空気ばっ気装置とを備える排水処理装置であって、
前記空気ばっ気装置が、
前記排水処理室の底中央に設置される多孔質の散気体である散気管と、
該散気管に圧縮空気を吸き込むための送風機と、
前記散気管と前記送風機とを接続する配管パイプと、
前記散気管に前記送風機からの空気を供給しているか否かを監視する風量検出手段とから構成され、
前記風量検出手段が前記散気管の空気の配管経路に直接設置され、
前記風量検出手段の信号線を散気用の配管経路を介して前記電源制御盤に接続され、
前記風量検出手段が前記送風機の吐出口に設けられた圧力センサであり、
該圧力センサにより、吐出される空気の吐出圧力を測定するステップと、
該吐出圧力が最小圧力以下または最大圧力以上であるか否かの判断をするステップと、
該吐出圧力が最小圧力以下または最大圧力以上であると判断される場合、警報手段を用いて知らせ、電解電流の電源を停止するステップ
とを含むことにより警報がなされる
ことを特徴とする排水処理装置。
【発明の詳細な説明】
【０００１】
【発明の属する技術分野】
本発明は排水処理装置に関する。さらに詳しくは、排水を安全に処理することができる排水処理装置に関する。
【０００２】
【従来の技術】
リン化合物の処理装置は種々提案されているが、家庭排水については鉄の電解溶出法が知られている（特開平３−８９９９８号公報、Ｃ０２Ｆ  ３／１２）。この技術は、排水中のリン酸イオンを鉄イオンと反応させ水不溶性の塩、たとえばＦｅＰＯ4やＦｅ（ＯＨ）x（ＰＯ4）yとして凝集沈殿させて除去しようとする技術であり、電解槽中に設置された鉄製の金属電極に通電して排水中に鉄イオンを溶出させるものである。そして、かかる電解溶出法を用いた浄化槽として、たとえば嫌気槽、好気槽、処理水槽および消毒槽からなり、該処理水槽の汚水を、リン酸反応する鉄イオンを溶出さる電解槽を介して、嫌気槽に循環するとともに、前記消毒槽を介して放流させるように構成されたものがある。
【０００３】
【発明が解決しようとする課題】
このように、リンを含む汚水を除去するために電解槽が設けられた浄化槽では、電解槽の電極の下部にばっ気のための散気管を設け、電流値に応じて散気管への風量を制御している。そして電極から発生する水素対策として、前記散気管より供給される空気量で水素濃度を下げている。しかし、送風機（ブロワー）の故障などにより散気管への送量が停止して、水素濃度が基準値をこえてしまうことが考えられる。
【０００４】
本発明は、叙上の事情に鑑み、安全に排水を処理することができる排水処理装置を提供することを目的とする。
【０００５】
【課題を解決するための手段】
本発明の排水処理装置は、排水の流入口と流出口を有する排水処理室と、排水中に浸漬される鉄および／またはアルミニウムを含む一対の金属電極と、該金属電極に通電するための電源制御盤と、排水中に空気を供給する空気ばっ気装置とを備える排水処理装置であって、
前記空気ばっ気装置が、
前記排水処理室の底中央に設置される多孔質の散気体である散気管と、
該散気管に圧縮空気を吸き込むための送風機と、
前記散気管と送風機とを接続する配管パイプと、
前記散気管に前記送風機からの空気を供給しているか否かを監視する風量検出手段とから構成され、
前記風量検出手段が前記散気管の空気の配管経路に直接設置され、
前記風量検出手段の信号線を散気用の配管経路を介して前記電源制御盤に接続され、
前記風量検出手段が前記送風機の吐出口に設けられた圧力センサであり、
該圧力センサにより、吐出される空気の吐出圧力を測定するステップと、
該吐出圧力が最小圧力以下または最大圧力以上であるか否かの判断をするステップと、
該吐出圧力が最小圧力以下または最大圧力以上であると判断される場合、警報手段を用いて知らせ、電解電流の電源を停止するステップ
とを含むことにより警報がなされる
ことを特徴とする。
【０００６】
【発明の実施の形態】
以下、添付図面に基づいて本発明の排水処理装置を説明する。
【０００７】
図１は本発明の一実施の形態にかかわる排水処理装置を示す説明図、図２は図１における排水処理装置の模式図、図３は送風機の風量と吐出圧力との関係を示す図、図４は本発明のフローチャートの一例、図５は他の実施の形態を示す模式図である。
【０００８】
本発明の排水処理装置は、たとえば合併浄化槽に用いられる。かかる合併浄化槽は、図１に示すように、第一嫌気ろ床槽Ａと、第ニ嫌気ろ床槽Ｂと、生物ろ過槽Ｃと、処理水槽Ｄと、消毒槽Ｅとからなり、前記第一嫌気ろ床槽Ａに流入した排水を各槽にて処理したのち、消毒槽Ｅから排出するようにされている。そして処理装置１が、前記処理水槽Ｄから送風機（ブロワー）Ｆにより揚水された処理水を第一嫌気ろ床槽Ａへ戻す排水処理装置１が循環経路Ｇに設置されている。
【０００９】
前記排水処理装置１は、図１〜２に示されるように排水の流入口２と流出口３を有する排水処理室４と、該処理室４内の排水中に少なくとも一部が浸漬するように配置されている一対の金属電極５と、該金属電極５に通電するための電源制御盤６と、前記排水処理室４内の排水中に空気を供給する空気ばっ気装置７を備えている。なお、前記電源制御盤６から金属電極５への送電線８はターミナルケース９を介して金属電極５に接続されている。
【００１０】
前記金属電極５は、鉄、鉄合金、アルミニウム、アルミニウム合金または鉄−アルミニウム合金などの鉄イオンおよび／またはアルミニウムイオン発生源から製作することができる。
【００１１】
前記一対の金属電極５のうち陽極（アノード）側の電極の表面は、有機物および無機物の酸化被膜が発生するが、陰極（カソード）側の電極は表面から水素ガスが発生している。かかる水素ガスにより、陰極側の電極の表面は洗浄され、酸化被膜が生じない。このため、陽極側の電極の表面に酸化被膜が発生して鉄イオンまたはアルミニウムイオンの溶出量が減少してきたばあいに、所定の時間間隔で極性を反転するのが好ましい。
【００１２】
前記空気ばっ気装置７は、金属電極５の洗浄、金属電極５から溶出したイオンへの酸素供給や前記水素濃度を低下させるために設置されており、排水処理室４の底中央に設置される多孔質の散気体である散気管１０または散気板と、該散気管１０に圧縮空気を吸き込むための送風機（ブロワー）１１と、前記散気管１０と送風機１１とは接続させる配管パイプ１２と、前記散気管１０へ送風機１１からの空気を供給しているか否かを監視する風量検出手段１３とから構成されている。該風量検出手段１３の信号線１４は前記電源制御盤６に接続されており、該風量検出手段１３により検出された風量信号は電源制御盤６に送信されたのち、該風量信号は演算処理されて所定の範囲にあるか否かが判断される。ついで所定の範囲外であれば、警報を発するまたは電源制御盤の電解電源を停止するなどの処置を行なうようにしている。
【００１３】
本実施の形態における風量検出手段１３は、送風機１１の吐出口に設けられている。これにより、送風機１１の故障および目詰まりによる風量低下などを検知することができる。かかる風量検出手段としては、直接的にまたは間接的に監視することができるものであれば、本発明においては、とくに限定されるものではないが、たとえば図３に示されるように、送風機の性能特性、すなわちばっ気に必要な送風機の最小風量Ｖ１および最大風量Ｖ２と送風機の最小吐出圧力Ｐ１および最大吐出圧力Ｐ２とのあいだの所定の関係を利用した圧力センサとすることができる。
【００１４】
本実施の形態では、図４に示されるように送風機の吐出口に設けられた圧力センサにより、吐出される空気の吐出圧力Ｐoを測定する（ステップＳ１）。ついで該吐出圧力Ｐoが最小圧力Ｐ１以下または最大圧力Ｐ２以上であるか否かの判断がなされる（ステップＳ２）。そして吐出圧力Ｐoが最小圧力Ｐ１以下または最大圧力Ｐ２以上であると判断される場合、警報ランプを点灯したのち、電解電流の電源を停止する。なお、本実施の形態では、警報ランプを点灯して知らせているが、本発明においては、これに限定されるものではなく、警報ブザーまたはネットを介してパソコンなどのディスプレイに表示するなどの警報手段を用いて知らせることもできる。
【００１５】
つぎに本発明の他の実施の形態を説明する。本実施の形態では、図５に示されるように風量検出手段１３３が前記散気管１０の空気の配管経路に直接設置されている。これにより、前記送風機１１から散気管１０までの配管パイプ１２の途中が壊れた場合にも検知することができる。なお、本実施の形態の場合、前記風量検出手段１３の信号線１４を散気用の配管経路（配管パイプ１２内）に通させて、電源制御盤６と接続させることによって、別途信号線のための配管を用いなくてもよくなり、経費を削減することができる。
【００１６】
なお、本実施の形態では、排水処理装置における排水処理室は前記第一嫌気ろ床槽に設置されているが、本発明においては、これに限定されるものではなく、たとえば生物ろ過槽、凝集沈殿槽または再ばっ気中間流量調整槽などに設置することもできる。
【００１７】
また本発明の排水処理装置は前述のように一般家庭排水にとくに有利に利用できる。したがって、単独で使用してもよいが、他の浄化システム、たとえば活性汚泥法、膜分離法、嫌気・好気循環法などと組合せて家庭用、集合住宅用の総合排水浄化システムとすることができる。また、大規模処理システム（し尿処理場）にも利用できる。
【００１８】
【発明の効果】
以上説明したとおり、本発明によれば、送風機の故障により散気が停止すると、警報を発して自動的に電解の電源を停止させることができる。したがって、排水処理の安全性を確保することができる。
【００１９】
また、警報手段を作動させることにより、いち早く故障箇所を判別し、処理することができる。
【図面の簡単な説明】
【図１】本発明の一実施の形態にかかわる排水処理装置を示す説明図である。
【図２】図１における排水処理装置の模式図である。
【図３】送風機の風量と吐出圧力との関係を示す図である。
【図４】本発明のフローチャートの一例である。
【図５】他の実施の形態を示す模式図である。
【符号の説明】
１  排水処理装置
２  流入口
３  流出口
４  排水処理室
５  金属電極
６  電源制御盤
７  空気ばっ気装置
【図１】
0004428822.tif 000002
【図２】
0004428822.tif 000003
【図３】
0004428822.tif 000004
【図４】
0004428822.tif 000005
【図５】
0004428822.tif 000006